(57)【要約】膨張可能な携帯型格納装置が開示される。一態様において、格納装置は、床上に置くように構成される底部材と、1つまたは複数の垂直部材と、少なくとも1つの水平部材とを備える囲いとして構成されてもよい。囲いは、外殻と、硬質構造体の剛性を再現するように剛性を与えるための、空気で膨張可能な1つまたは複数の空気袋とを含んでもよい。空気袋は、空気袋が破損した場合の囲いの潰れを防止するために、多重に重複するように構成されてもよい。2012530557.tif 000004
2012530557.tif 000002
【特許請求の範囲】
【請求項１】
使用時に床と平行になるように構成される底部材と、
該底部材に接続される1つまたは複数の垂直部材と、
該底部材の周囲にわたって配置される3つ以上の支柱と、
少なくとも2つの支柱の各上端に面して、該少なくとも2つの支柱を接続する1つまたは複数の水平部材と、
を備える格納装置であって、
該水平部材が該垂直部材に接続され、
該垂直部材および該底部材が囲繞空間を画定し、
該支柱および該水平部材が、寸法的に安定な材料の外殻、および1つまたは複数の内側空気袋からなり、かつ
該内側空気袋が加圧空気によって膨張されるときに、該支柱および該垂直部材が該囲繞空間の周囲に硬質構造体を形成するように、該内側空気袋、該支柱および該垂直部材が構成される、格納装置。
【請求項２】
支柱が垂直線に対して少なくとも10°の角度をなして傾けられる、請求項1記載の格納装置。
【請求項３】
支柱が曲線経路を辿る、請求項1記載の格納装置。
【請求項４】
支柱が少なくとも1つの脚部材を更に備える、請求項1記載の格納装置。
【請求項５】
支柱、水平部材、底部材、および垂直壁が、格納のために梱包されると0.017立方メートル以下の容積を満たす、請求項1記載の格納装置。
【請求項６】
支柱、水平部材、底部材、および垂直壁が、搬送容器と少なくともエアマットレスおよびポンプを含む関連する雑品と共に格納のために梱包されると、0.0425立方メートル以下の容積を満たす、請求項1記載の格納装置。
【請求項７】
支柱、水平部材、底部材、および垂直壁が3.1キログラム未満の総重量を有する、請求項1記載の格納装置。
【請求項８】
支柱、水平部材、底部材、および垂直壁が、搬送容器と少なくともエアマットレスおよびポンプを含む関連する雑品と共に、4.5キログラム以下の総重量を有する、請求項1記載の格納装置。
【請求項９】
1つまたは複数の水平部材の断面積が寸法軸に沿って変化する、請求項1記載の格納装置。
【請求項１０】
1つまたは複数の支柱の断面積が寸法軸に沿って変化する、請求項1記載の格納装置。
【請求項１１】
複数の水平部材が上下に積み重ねられる、請求項1記載の格納装置。
【請求項１２】
第1の支柱と第2の支柱とが水平部材を介して一体に接続されて逆U形状フレームが形成される、請求項1記載の格納装置。
【請求項１３】
U形状フレームの断面積が寸法軸に沿って変化する、請求項12記載の格納装置。
【請求項１４】
膨張可能な囲いが少なくとも3つのU形状フレームのセットを備える、請求項12記載の格納装置。
【請求項１５】
水平部材に対する略垂直な支持を第1の方向に提供する第1の支柱と、水平部材に対する略垂直な支持を第2の方向に提供する第2の支柱とが並んで配置され、かつ、該支柱が互いに対してスライドしないように構成される、請求項1記載の格納装置。
【請求項１６】
水平部材に対する略垂直な支持を第1の方向に提供する第1の支柱と、水平部材に対する略垂直な支持を第2の方向に提供する第2の支柱とが並んで配置され、かつ、該支柱が互いに対して回転しないように構成される、請求項1記載の格納装置。
【請求項１７】
少なくとも1つのテンション部材を更に備え、
該テンション部材が、第1の支柱を第1の位置に固定しかつ第2の支柱を該第1の支柱に隣接して固定するために使用される、請求項1記載の格納装置。
【請求項１８】
テンション部材を取り付け可能に取り外しできる、請求項17記載の格納装置。
【請求項１９】
テンション部材の少なくとも一部が少なくとも1つの支柱に固定して取り付けられる、請求項17記載の格納装置。
【請求項２０】
複数のテンション部材が一対の支柱に取り付けられる、請求項17記載の格納装置。
【請求項２１】
支柱の、露出した外周の垂直長さの少なくとも25％をテンション部材がカバーする、請求項17記載の格納装置。
【請求項２２】
テンション部材が、2つの隣接する支柱を内部接触ラインに沿って動かせるように接続する少なくとも1つの内側テンション部材を備える、請求項17記載の格納装置。
【請求項２３】
第1の支柱に動かせるように取り付けられる第1のテンション部材が、第2の支柱に動かせるように取り付けられる第2のテンション部材と嵌合する、請求項17記載の格納装置。
【請求項２４】
フレームの水平部分の上端が、任意の50mmの長さにわたって垂直下方の少なくとも65ニュートン（N）の力に晒されるときに、該力が加えられる場所で垂直に測定して460mm未満の高さまでは撓まないように構成される、請求項1記載の格納装置。
【請求項２５】
力が少なくとも85Nである、請求項24記載の格納装置。
【請求項２６】
力が少なくとも220Nである、請求項24記載の格納装置。
【請求項２７】
地面の面と平行に、かつフレームの水平部分に対して垂直に加えられる少なくとも65Nの力が、該水平部分の反対側で地面よりも上への上昇を実質的にもたらさないように、装置が構成される、請求項1記載の格納装置。
【請求項２８】
力が少なくとも85Nである、請求項27記載の格納装置。
【請求項２９】
力が少なくとも220Nである、請求項27記載の格納装置。
【発明の詳細な説明】
【技術分野】
【０００１】
発明の分野
本発明は概して、携帯型の囲いおよび同様の格納装置に関する。より具体的には、本発明は、圧力下での膨張時に硬い形状を得るように構成される格納装置に関するが、これに限定されない。
【背景技術】
【０００２】
背景
家族が自分達の乳児、幼児、または、ペットを伴って旅行する際、しばしば、携帯型の睡眠用解決策および遊び場、例えば携帯型の囲いを持って行く。1つのポピュラーな製品がPack-N-Playのブランドで販売されている。しかしながら、現在の携帯型の囲い技術は、重い、または非常に大きいため、旅行に容易に持ち運ぶことができず、また、設置すると、多くの場合に小さすぎて、あまり機能しない。
【発明の概要】
【０００３】
概要
本開示は概して、乳児、ペット、他の動物に使用するため、または種々雑多な物品を格納するための、携帯型の囲いおよび同様の格納装置に関する。
【０００４】
一局面において、本発明は、ベースと、ベースに結合される複数の構造部材とを含む膨張可能な囲いに関し、ここで構造部材は、高い剛性を与えるように構成される複数の、空気で膨張可能な空気袋を含む。構造部材は、1つまたは複数の空気袋の収縮時に重複性を与えるように相互に接続されてもよい。
【０００５】
他の局面において、本発明は、使用時に床と平行になるように構成される底部材と、底部材に接続される1つまたは複数の垂直部材と、底部材の周囲にわたって配置される3つ以上の支柱と、少なくとも2つの支柱の各上端に面して、この少なくとも2つの支柱を接続する1つまたは複数の水平部材とを備える格納装置に関し、ここで水平部材は垂直部材に接続され、垂直部材および底部材は囲繞空間を画定し、支柱および水平部材は、寸法的に安定な材料の外殻、および1つまたは複数の内側空気袋からなり、内側空気袋、支柱および垂直部材は、内側空気袋が加圧空気によって膨張されるときに、支柱および垂直部材が囲繞空間の周囲に硬質構造体を形成するように構成される。
【０００６】
格納装置は、垂直線に対して少なくとも10°の角度をなして傾けられる支柱を含んでもよい。支柱は曲線経路を辿ってもよい。支柱が少なくとも1つの脚部材を更に備えてもよい。支柱、水平部材、底部材、および垂直壁は、格納のために梱包されると、小さいサイズでの格納および/または輸送のために0.017立方メートル以下の容積を満たしてもよい。支柱、水平部材、底部材、および垂直壁は、搬送容器と、少なくともエアマットレスやポンプを含む関連する雑品と共に格納のために梱包されると、0.0425立方メートル以下の容積を満たしてもよい。支柱、水平部材、底部材、および垂直壁は、3.1キログラム未満の総重量を有してもよい。支柱、水平部材、底部材、および垂直壁は、搬送容器と少なくともエアマットレスやポンプを含む関連する雑品と共に、4.5キログラム以下の総重量を有してもよい。
【０００７】
格納装置は、寸法軸に沿って変化する断面積を有する、1つまたは複数の部材を有してもよい。格納装置は、上下に積み重ねられる複数の水平部材を有してもよい。格納装置は、第1の支柱と第2の支柱とが水平部材を介して一体に接続されることにより逆U形状フレームが形成されるように構成されてもよい。U形状フレームの断面積が寸法軸に沿って変化してもよい。格納装置は、少なくとも3つのU形状フレームのセットを備える膨張可能な囲いとして構成されてもよい。
【０００８】
格納装置は、水平部材に対する略垂直な支持を第1の方向に提供する第1の支柱と、水平部材に対する略垂直な支持を第2の方向に提供する第2の支柱とを有してもよく、これらの支柱は並んで配置される。この場合、支柱は互いに対してスライドしないように構成される。第1の支柱は、水平部材に対する略垂直な支持を第1の方向に提供するように構成されてもよく、また、第2の支柱は、水平部材に対する略垂直な支持を第2の方向に提供するように構成されてもよく、これらの支柱が並んで配置されてもよく、支柱は互いに対して回転しないように構成される。格納装置は少なくとも1つのテンション部材を更に備えてもよく、また、テンション部材は、第1の支柱を第1の位置に固定し、かつ第2の支柱を第1の支柱に隣接して固定するために使用されてもよい。テンション部材は、取り付け可能に取り外すことができ（または、取り外し可能に固定され）てもよい。テンション部材の少なくとも一部が少なくとも1つの支柱に固定して取り付けられてもよい。複数のテンション部材が一対の支柱に取り付けられてもよい。テンション部材は、支柱の、露出した外周の垂直長さの少なくとも25％をカバーしてもよい。テンション部材は、2つの隣接する支柱を内部接触ラインに沿って動かせるように接続する少なくとも1つの内側テンション部材を備えてもよい。第1のテンション部材は、第1の支柱に動かせるように取り付けられてもよく、また、第2の支柱に動かせるように取り付けられる第2のテンション部材と嵌合してもよい。
【０００９】
格納装置は、フレームの水平部分が任意の50mmの長さにわたって垂直下方の少なくとも65ニュートン（N）の力に晒されるときに、力が加えられる場所で垂直に測定して460mm未満の高さまで撓まないように形成されるべく構成されてもよい。力は、少なくとも85Nであってもよく、または220Nより大きくてもよい。装置は、地面の面と平行に、かつフレームの水平部分に対して垂直に加えられる少なくとも65Nの力が、水平部分の反対側で地面よりも上への上昇を実質的にもたらさないように構成されてもよい。力は少なくとも85Nであってもよく、または少なくとも220Nであってもよい。
【００１０】
以下、添付図面と併せて、更なる局面および特徴について更に説明する。
【図面の簡単な説明】
【００１１】
以下、添付図面を参照して、様々な開示の局面について詳しく説明する。
【００１２】
【図１】垂直支柱110、水平部材120、最底部材210、および垂直部材220のセットを備える囲いまたは格納装置の一態様の詳細平面図を示している。
【図２】図1の装置の下面図を示している。
【図３】図1の装置の側面図を示している。
【図４】図1の装置の斜視図を示している。
【図５】8個の垂直支柱110と、8個の水平部材120と、単一の最底部材210と、8個の垂直部材220とを備える囲いまたは格納装置の一態様の詳細平面図を示している。
【図６】図5の装置の下面図を示している。
【図７】図5の装置の側面図を示している。
【図８】図5の装置の斜視図を示している。
【図９】様々な支柱110および水平部材120の断面積が寸法軸に沿って変化してもよいことを示す一態様の断面図である。
【図１０】水平部材によって、かつ水平部材に対して接続されて単一の一体部品を形成する支柱のセットを備えるUフレームを詳細に示す一態様の断面図である。この図では、Uフレームの断面積が寸法軸に沿って変化してもよい。
【図１１】支柱および水平部材がUフレーム130と取り代えられた一態様の斜視図である。
【図１２】支柱110またはUフレーム130と共に使用され得る脚部材140の様々な形態の一部を示す。
【図１３】2つのUフレーム130を束ねるバンドを形成する単一のテンション部材310の一態様を詳しく示している。
【図１４】2つのUフレーム130を束ねるための囲繞スリーブを形成する大きいテンション部材310の一態様を詳しく示している。
【図１５】2つのUフレーム130を束ねる複数のテンション部材310の一態様を詳しく示している。
【図１６】少なくとも1つの内部テンション部材320と、2つの隣接する支柱110上に配置される1つの外部テンション部材330とを備えるテンション部材のセットを含む一態様を詳しく示している。
【図１７】水平部材（またはUフレームの水平部）に沿う任意のポイントで荷重が垂直下方に加えられる、静止荷重に関する態様の詳細を示している。
【図１８】水平部材（またはUフレームの水平部）に対して横方向に荷重が加えられる本発明の態様の詳細を示している。
【発明を実施するための形態】
【００１３】
詳細な説明
本発明は概して、格納装置に関する。態様は、例えば子供を拘束するために使用されてもよい囲いに関して記載されるが、他の実施では、態様がペットもしくは動物を収容するため、または他の格納もしくは拘束目的で使用されてもよい。
【００１４】
一局面において、本発明は、ベースと、ベースに結合される複数の構造部材とを含む膨張可能な囲いに関し、ここで構造部材は、高い剛性を与えるように構成される複数の、空気で膨張可能な空気袋を含む。構造部材は、1つまたは複数の空気袋の収縮時に重複性を与えるように相互に接続されてもよい。囲いは、膨張可能な囲いまたは同様の装置と関連付けられる、1つまたは複数の安全規格に準拠していると認定されてもよい。
【００１５】
他の局面において、本発明は、使用時に床と平行になるように構成される底部材と、底部材に接続される1つまたは複数の垂直部材と、底部材の周囲にわたって配置される3つ以上の支柱と、少なくとも2つの支柱の各上端に面して、この少なくとも2つの支柱を接続する1つまたは複数の水平部材とを備える格納装置に関し、ここで水平部材は垂直部材に接続され、垂直部材および底部材は囲繞空間を画定し、支柱および水平部材は寸法的に安定な材料の外殻、および1つまたは複数の内側空気袋からなり、内側空気袋、支柱および垂直部材は、内側空気袋が加圧空気によって膨張されるときに、支柱および垂直部材が囲繞空間の周囲に硬質構造体を形成するように構成される。
【００１６】
格納装置は、垂直線に対して少なくとも10°の角度をなして傾けられる支柱を含んでもよい。支柱は曲線経路を辿ってもよい。支柱は少なくとも1つの脚部材を更に備えてもよい。支柱、水平部材、底部材、および垂直壁は、格納のために梱包されると、小さいサイズで格納および/または輸送のために0.017立方メートル以下の容積を満たしてもよい。支柱、水平部材、底部材、および垂直壁は、搬送容器と少なくともエアマットレスやポンプを含む関連する雑品と共に格納のために梱包されると、0.0425立方メートル以下の容積を満たしてもよい。支柱、水平部材、底部材、および垂直壁は3.1キログラム未満の総重量を有してもよい。支柱、水平部材、底部材、および垂直壁は、搬送容器と少なくともエアマットレスやポンプを含む関連する雑品と共に、4.5キログラム以下の総重量を有してもよい。
【００１７】
格納装置は、寸法軸に沿って変化する断面積を有する1つまたは複数の部材を有してもよい。格納装置は、上下に積み重ねられる複数の水平部材を有してもよい。格納装置は、第1の支柱と第2の支柱とが水平部材を介して一体に接続されることにより逆U形状フレームが形成されるように構成されてもよい。U形状フレームの断面積が寸法軸に沿って変化してもよい。格納装置は、少なくとも3つのU形状フレームのセットを備える膨張可能な囲いとして構成されてもよい。
【００１８】
格納装置は、水平部材に対する略垂直な支持を第1の方向に提供する第1の支柱と、水平部材に対する略垂直な支持を第2の方向に提供する第2の支柱とを有してもよく、これらの支柱は並んで配置される。この場合、支柱は互いに対してスライドしないように構成される。第1の支柱は、水平部材に対する略垂直な支持を第1の方向に提供するように構成されてもよく、また、第2の支柱は、水平部材に対する略垂直な支持を第2の方向に提供するように構成されてもよく、これらの支柱が並んで配置されてもよく、支柱は互いに対して回転しないように構成される。格納装置は少なくとも1つのテンション部材を更に備えてもよく、また、テンション部材は、第1の支柱を第1の位置に固定し、かつ第2の支柱を第1の支柱に隣接して固定するために使用されてもよい。テンション部材は、取り付け可能に取り外すことができ（または取り外し可能に固定され）てもよい。テンション部材の少なくとも一部が少なくとも1つの支柱に固定して取り付けられてもよい。複数のテンション部材が一対の支柱に取り付けられてもよい。テンション部材は、支柱の、露出した外周の垂直長さの少なくとも25％をカバーしてもよい。テンション部材は、2つの隣接する支柱を内部接触ラインに沿って動かせるように接続する少なくとも1つの内側テンション部材を備えてもよい。第1のテンション部材は、第1の支柱に動かせるように取り付けられてもよく、また、第2の支柱に動かせるように取り付けられる第2のテンション部材と嵌合してもよい。
【００１９】
格納装置は、フレームの水平部分が任意の50mmの長さにわたって垂直下方の少なくとも65ニュートン（N）の力に晒されるときに、力が加えられる場所で垂直に測定して460mm未満の高さまで撓まないように形成されるべく構成されてもよい。力は、少なくとも85Nであってもよく、または220Nより大きくてもよい。装置は、地面の面と平行に、かつフレームの水平部分に対して垂直に加えられる少なくとも65Nの力が、水平部分の反対側で地面よりも上への上昇を実質的にもたらさないように構成されてもよい。力は少なくとも85Nであってもよくまたは少なくとも220Nであってもよい。
【００２０】
以下、本発明の様々な局面について更に説明する。これらの局面のそれぞれは、望ましい場合には、本明細書において開示されおよび/または開示されない局面を含む更なる局面と組み合わせることができ、それに伴う組み合わせは、より詳細な随意的態様を表わす。
【００２１】
なお、以下の説明は、本発明の範囲を限定しようとするものではなく、また、本発明の全ての形態が以下の利点または局面の全てを有することを示唆しようとするものでもない。本開示から分かるように、本発明の態様は、本明細書において記載される局面の異なる組み合わせで使用され得る様々な特徴を与えることができる。
【００２２】
現在の旅行用の囲いには、2つの別個のタイプ、すなわち、膨張可能な囲い、および機械的な囲いの形式がある。機械的な囲いは、形成される囲繞空間に対してそれらの大きな体積および重量が不釣り合いであるという点において弱点がある。膨張可能な囲いは、関連する安全規格に合格するのに必要な構造安定性を与えるために求められる剛性をそれらが有していないという点において弱点がある。したがって、それらの矛盾は、サイズに対する体積/重量、および安全性にある。
【００２３】
本発明の態様は、最小重量で直ちに輸送できる小さいサイズに梱包する束の状態で、遊び/休憩/格納のための大きな領域を与えつつ、機械的な携帯用の囲いの安全規格を満たすのに十分硬質な装置を形成することによって、これらの欠陥および他の欠陥を克服し、矛盾を排除し得る。
【００２４】
一局面によれば、膨張可能な携帯型の囲いは、床と平行な少なくとも1つの最底部材と、動かせるように最底部材に接続される少なくとも1つの垂直部材と、最底部材の周囲にわたって配置される少なくとも3つの支柱と、少なくとも2つの支柱の上端に面して、この少なくとも2つの支柱を接続する少なくとも1つの水平部材とを備え、動かせるように水平部材が垂直部材に接続され、垂直部材および最底部材が囲繞空間を形成し、支柱および水平部材は、寸法的に安定な材料の外殻、および少なくとも1つの内側空気袋からなり、内側空気袋が加圧下で空気により膨張されると、支柱および垂直部材は、囲繞空間を支持するための硬質構造体を形成する。
【００２５】
幾つかの態様では、各垂直部材において2つの内側空気袋を使用し、それによって、更なる剛性を与えてもよく、および/または一方の空気袋が破損する場合にサポートしてもよい。特にこれは、囲いまたは格納装置の脚にある一方の空気袋が、例えば穿刺または破裂によって機能しなくなるときに、利点を与え得る。脚または他の垂直部材に含まれる重複する空気袋を用いて、剛性を少なくとも部分的に維持し、それによって、子供、ペットまたは他の動物が格納領域から逃げられないようにしてもよい。
【００２６】
後述する様々な局面および態様に含まれる様々な更なる特徴は、特定のタイプの垂直もしくは水平支持構造体、または特定のタイプもしくはスタイルのフレーム部材に関連する態様として記載される場合であっても、他のタイプまたはスタイルの支持構造体またはフレーム部材に同様に適用できる。また、囲繞領域の形状（および壁の外周形状）は、支持フレームの形状に単に緩く結合されるだけである。各々の形状は、三角形、正方形、長方形、もしくは任意の他の多面体形状であり得、または、円形もしくは楕円形であり得る。例えば、硬質フレームが六角形の輪郭をなすことができ、一方、内部空間が円筒体を形成する単一の垂直壁を伴う円形であってもよい。
【００２７】
特定の態様において、支柱は、垂直線に対して約10°またはそれ以上の角度をなして傾けられてもよく、二次元または三次元曲線であってもよい曲線の経路を辿ってもよく、および/または、その少なくとも一部が床または地面と接触する脚部材を支柱の底部に更に備えてもよい。
【００２８】
一態様において、支柱、水平部材、最底部材、および垂直壁は、梱包されて圧縮されると0.017以下の容積を満たし、また、エアポンプ、エアマットレス、シート、サイドもしくはトップカバー、格納用バッグ、または他の雑品などの関連する雑品と共に0.0425以下の容積を満たす。他の態様において、支柱、水平部材、最底部材、および垂直壁は、梱包されて圧縮されると3.2キログラム未満の重量を有し、また、関連する雑品と共に4.5キログラム未満の重量を有する。
【００２９】
他の態様では、第1の支柱と第2の支柱とが水平部材によってかつ水平部材に対して一体に接続され、それによって、逆U形状フレームが形成されてもよい。更なる他の態様において、支柱、水平部材、および/もしくはUフレームの断面積は、一定であってもよく、または、例えば図9および図10に示されるように寸法軸に沿って変化してもよい。他の更なる態様では、膨張可能な携帯型の囲いが少なくとも3つのU形状フレームを備える。幾つかの態様では、複数のU形状フレームが使用され、この場合、U形状フレーム要素は、U形状フレーム間の移動を抑制するように、または完全もしくは部分的な相対的移動を与えるように柔軟にまたは強固に取り付けられる。U形状フレームは、テンション部材または他の取り付け機構を使用して取り付けられてもよい。
【００３０】
特定の態様では、複数の水平部材が上下に積み重ねられてもよい。他の関連する態様では、複数の支柱が水平部材に対する接触点を共有できる。複数の構造部材の使用により構造体に対して高い剛性を与えることができる。
【００３１】
幾つかの態様では、水平部材に対する略垂直な支持を第1の方向に提供する第1の支柱が、水平部材に対する略垂直な支持を第2の方向に提供する第2の支柱の隣りに並んで配置され、これらの支柱は互いに対するスライドおよび/または回転が妨げられる。
【００３２】
他の態様では、膨張可能な携帯型の囲いは、少なくとも1つのテンション部材を更に備え、テンション部材は、第1の支柱を第1の位置に固定しかつ第2の支柱を第1の支柱に隣接して固定するために使用されてもよい。この態様の様々な形態において、テンション部材は、取り付け可能に取り外すことができ、または少なくとも1つのテンション部材の少なくとも一部が、少なくとも1つの支柱に取り外し不能に取り付けられてもよい。この態様の特定の形態では、複数のテンション部材が一対の支柱に取り付けられてもよい。
【００３３】
他の形態において、テンション部材は、2つの隣接する支柱の内側接触面に沿って配置されてもよく、または隣接する支柱のセットの、露出した外周の垂直長さの少なくとも25％をカバーしてもよい。
【００３４】
他の形態において、第1の支柱に動かせるように取り付けられる第1のテンション部材は、第2の支柱に動かせるように取り付けられる第2のテンション部材と嵌合してもよい。
【００３５】
他の態様において、任意の50mmの長さにわたって、垂直下方の少なくとも65Nの力に晒されるフレームの水平部分の上端は、力が加えられる場所で垂直に測定して460mm未満の高さまで撓まないように形成されてもよい。様々な形態において、垂直下方の力は、少なくとも85Nであってもよく、または少なくとも200Nであってもよい。
【００３６】
更なる他の態様において、地面の面と平行でかつ水平部材のうちの少なくとも1つに対して垂直な少なくとも65Nの力を及ぼす、囲繞空間内の15kg以下の体重の乳児が、力と反対の側を地面から離して持ち上げることができないように、格納装置が構成されてもよい。様々な形態において、加えられる力は、少なくとも85Nであってもよく、または少なくとも200Nであってもよい。子供、乳児、ペット、または他の動物が使用中に構造体を反転させ、またはさもなければ転覆させることができないように、この態様が提供されてもよい。
【００３７】
幾つかの態様では、重複する空気袋が格納装置で使用されてもよく、その場合、重複する空気袋は、第1の空気袋の収縮によって格納装置が潰れないように構成される。これらの重複する空気袋は、格納装置の部材の全体にわたって分配されてもよい。
【００３８】
様々な態様において、本発明は、梱包時には現在市場で提供されるものと比べ、かなり小さいサイズ（ほぼバレーボールのサイズ）および重量（約3kg）を有するが、使用時には、同等に大きいサイズにセットアップする、旅行用の囲いまたは動物格納装置に関する。梱包時のこの小さい重量および体積によって、囲いが機内持ち込み手荷物やバックパック内に納まることができ、また、十分に小型となって幼児がそれを運ぶことができる。結果的に、このような囲いは、親が旅行に持ち運びしなければならない体積や重量を減らすのに役立つことができる。また、多くの航空会社は、現在、チェック済みの手荷物に追加料金を課す。この囲いはスーツケース内または機内持ち込み手荷物内に収まり得るため、この囲いを用いると、別個にチェックされなければならない既存の旅行用の囲いと比べて安価に飛行機旅行できる。
【００３９】
例示的な態様において、囲いは、それに構造と剛性とを与えるための内部膨張フレームと、最底部材を備える一体型カバーと、乳児または幼児が寝たり遊んだりする囲い領域を形成するための壁とを利用する。
【００４０】
フレームは多くの垂直支柱110および水平部材120を備えてもよい。様々な態様において、支柱および水平部材のセットは一体化したU形状フレーム130へと接続される。各フレーム（またはフレーム要素）は、管状の織物シースと、内部空気袋とからなる。フレームの織物シースは複数の平坦な断片から形成されてもよく、これらの断片は、それらが一緒に縫い付けられるときに、寸法的に安定な湾曲した硬質構造を形成するようになっている。フレーム織物は、ダクロン、ポリエステル、ナイロンまたは寸法的に安定な織物を形成できる他の材料であってもよい。
【００４１】
内部空気袋は、ポリウレタンからなってもよいが、密閉シールされた空気袋を提供することができる任意の材料から形成できる。空気袋は、完全に膨張されたときであっても、一般に、三次元の剛性を与えることができない。しかしながら、内部空気袋とフレームシースとの組み合わせにより、一般に6.9kPa〜10kPa（1〜1.5psi）である従来の膨張可能な囲い構造よりもかなり高い圧力、すなわち、41kPa〜69kPa（6〜10psi）までシステムを膨張させることができる。このかなり高い圧力が、かなり硬質のフレームを形成する。結果として、この実施により、より少ない量の空気と、より短い長さの材料とを使用しつつ、囲いを更に大型にかつ更に硬質にすることができる。また、この実施は、梱包される際にはかなりコンパクトな携帯型システムももたらすことができる。
【００４２】
様々なスタイルの硬質構造が、支柱110、水平部材120、および/またはUフレーム130から形成されてもよく、この場合、最も簡単なものは、少なくとも3つの垂直支柱と3つの水平部材（または3つのUフレーム）とを備える三面構造である。より一般的なものは四面構造であるが、円形形状、楕円形状、および他の多面体形状を形成できる。最底部材の面積対外部フレームの面の数（支柱、水平部材、および/またはUフレームの数）および一般的な寸法、所望のレベルの構造的剛性、その空間を形成するために必要とされる材料の量、梱包形態で望ましい最小体積/重量、およびその形状を形成する際の製造の複雑さ（および関連するコスト）に関して、囲繞空間の面積および支持構造体のサイズは矛盾する。
【００４３】
同様に、支柱（またはUフレーム）にとって適した角度、任意の脚部材を含めること、および、任意の脚部材のサイズ/方向は、設計上の矛盾を伴う。支柱のスタンスが幅広ければ広いほど、システムが構造的に安定する。しかしながら、幅広いスタンスは大きな外周長を必要とする（更に、材料の増大に起因して、システムの総重量が増大する）。したがって、あるとすれば、支柱がセットされる角度に関して、外周の領域と構造安定性との間に矛盾が存在する。
【００４４】
脚部材においても同じ矛盾が存在する。脚部材（硬質または膨張可能）の使用は、支柱の必要とされる角度を減少させることができ、または支柱を完全に垂直にすることができ、また、脚部材が大きければ大きいほど（および脚部材の表面積が大きければ大きいほど）、与えられる安定性が大きくなる。しかしながら、脚部材を含めると、システムが複雑になり、部品点数、製造コスト、総重量、および、体積が増大する。
【００４５】
例示的な態様において、フレームは、略同様の形状の4つの独立したシールされたUフレーム130を備えてもよく、それによってそれらのフレームが角に固定されると、それらが硬質な三次元の矩形ボックス状フレームを形成する。囲いの4つのUフレーム130は独立しているため、1つのUフレームの空気漏れは他のフレームに影響を及ぼさない。結果として、構造体は、1つのUフレームが空気漏れに直面する場合であっても、立ったままである。また、囲いの2つの隣接するUフレームは、囲いが不安定化するためには完全に収縮しなければならず（しかし、依然として機能する）、また、囲いが完全に潰れるためには3つのフレームが完全に収縮しなければならない。
【００４６】
また、互いに取り外し可能に取り付けられる4つの独立した面から囲いを構成すると、1つの連続するフレームよりも製造が容易で費用効率が高くなる。様々な取り付け手段が使用されてもよい。幾つかの実施では、角または縁が取り付けられてもよく、それによって、Uフレーム130が互いに対して移動できる。他の実施では、Uフレームが互いに対して固定されるように、または実質的に固定されるように角が取り付けられてもよい。幾つかの実施では、相対的な動きを他の方向で依然として許容しつつ相対的な動きを特定の方向で制限するべくUフレーム130を取り付けるために、ヒンジ機構が使用されてもよい。幾つかの実施において、Uフレームは、互いに対して直接に取り付けられず、および/または外殻またはカバーなどの他の構造体によって互いに対して固定される。
【００４７】
4つの独立したUフレーム130から組み立てられるフレームは、前述した理由のため1つの例示的な態様であるが、1つの連続したフレーム（すなわち、4つの角で取り外し不能に取り付けられる4つのUフレーム）として、またはそれぞれが互いに対して90°でセットされる2つのUフレームを備える2つの半体として構成される場合にも態様は有効である。
【００４８】
Uフレームの各構成要素は、織物の個々の平坦な断片が互いに組み付けられる（例えば、縫い合わせられ、接着され、溶着される）ときに、垂直に対して角度をなして広がる直線状の脚部に対し、湾曲部を介して接続される直線状の水平な上端部からなる湾曲した三次元部材を、それらの断片が形成してもよい。好ましくは垂直にする代わりに脚部を約10°またはそれ以上傾ける目的は、脚部を組み立てるときに囲いを安定させるためである。この角度は、囲いの上端周りの周長よりも僅かに大きい囲い設置面積の周長をもたらすことができ、それによって、乳児または子供が中で遊ぶための安定した筐体が形成される。
【００４９】
例示的な態様において、各フレーム部材の隣接する脚部は、脚部が分離するのを防止しかつ脚部が互いに対して回転しおよび/またはスライドするのを妨げるテンション部材310を介して接続される。幾つかの態様では、少なくとも2つのテンション部材が存在し、1つのテンション部材320は2つの脚部の内部接触面に沿っており、1つのテンション部材330は2つの脚部の外周を取り囲む。
【００５０】
内部テンション部材320は、フック＆ループシステム、ジッパー（一方の脚部に半分を用い、他方の脚部にそれに嵌合する半分を用いる）、またはテンション部材が脚部と一体化できるシステム、例えば、蟻継手・ソケットシステムもしくは一方の脚部の一部が他方の脚部の対応する嵌合受け入れ部に入り込む幾つかの他のシステムを備えてもよい。
【００５１】
外部テンション部材330は、単一のユニットであってもよく、または複数の部品を備えてもよい。様々な態様において、外部テンション部材330の少なくとも一部は、それがそれ自体に接続されるときに両方の脚部を取り囲むベルトまたはストラップを形成できるように、一方の脚部に取り外し不能に取り付けられてもよい。機械的な接続インタフェースは、スナップ、ボタン、フック＆ループファスナ、ジッパー、または、当技術分野において公知でありまたは開発される他の機械的な締結装置を介することができる。
【００５２】
幾つかの態様では、垂直壁220および最底部材210が単一ユニットの状態へと一体化されてもよい。特定の他の態様において、この単一ユニットは、フレームの内側の部分（乳児のための囲繞空間を形成する）と、囲繞空間をフレームに結んでフレームを覆う外側部分とが存在するように作られてもよい。幾つかの形態において、外側部分は、フレームの脚部が挿入される囲繞ポケットを形成してもよく、また、取り外し可能なコネクタを更に有してもよく、コネクタを介して各ポケット/脚部分が床に沿って最底部材210に接続されてもよい。ポケットとコネクタとのこの組み合わせは、囲いカバーを囲いフレームに対して固定する。
【００５３】
ポケット/脚部分を最底部材に接続する取り外し可能なコネクタは、それによってカバーを洗浄のために取り外すことができるため、1つの例示的な態様であるが、ここでも、縫い合わせまたは他の取り外し不能な接続技術、例えば接着や熱接合などの取り外し不能なファスナを使用することができる。フレームは、脚部をポケット内に固定するのに役立つ幾つかの機械的なファスナをそれらの長さに沿って有してもよい。
【００５４】
垂直部材220（例えば、囲繞空間の壁）は、側壁を通じた囲い内への空気の流れを許容するために、通気性のあるメッシュから形成されてもよい。また、側面のうちの1つまたは複数が不透明材料から形成されてもよく、それによって、囲いからの乳児またはペットの視界が遮られ、その結果、眠り込もうとしているときなどに注意散漫を防止するのに役立つ。幾つかの態様の更なる形態において、囲いは、不透明材料を側壁および/または上端に対して取り外し可能に接続できるようにする接続機構を有してもよい。
【００５５】
囲いの最底部材210は、乳児またはペットがその上で眠るまたは遊ぶことができるマットレスを形成するように構成されてもよい。このマットレスは、支えとなるが快適なベース層を与えるために、適切な硬さを有する発泡シートから構成されてもよい。あるいは、マットレスは、単に、熱溶着されたpvcの2つのシートおよびバルブからなる、膨張されたエアマットレス、または、圧縮性発泡マットレスを内側に有するポリウレタンが裏打ちされたナイロン（または同様の非通気性の材料）の2つのシート、および展開中に発泡体がナイロンの2つの層を押し離す際に空気を引き込むことができるようにするノズルからなる、自動膨張式マットレスであってもよい。他のマットレス状のまたは柔軟な材料が使用されてもよい。
【００５６】
態様の膨張は、直接的な手動膨張、手動ポンプ、電動ポンプまたは他の空気圧送装置を使用して達成されてもよい。例示的な態様では、ハンドルのダウンストロークおよびアップストロークの両方で膨張する、円筒状の2方向ピストンポンプを有する手動ポンプが使用されてもよい。しかしながら、他のタイプの手動ポンプが所望の圧力（例示的な態様では約6〜10psi）を得るように使用されてもよい（手、脚など）。
【００５７】
一般に、フライホイールポンプよりも高い圧力を達成できるため、電動ポンプの1つの例示的なタイプはピストンポンプである。しかしながら、手動ポンプと同様に、他のタイプの電動ポンプ、および任意の電源（AC、バッテリ、カーバッテリなど）が、適した圧力を得るように使用されてもよい。ポンプが使用される場合、ポンプは、別個のユニットであってもよく、あるいはポンプがフレームに組み込まれてもよく、またはフレームと一体化される、もしくはフレーム内に取り外し可能に装着できるように構成されてもよい。
【００５８】
バルブ形態は、以下の多くの異なる方法で作動するように構成されてもよい。
【００５９】
1）例示的な態様は、1方向バルブをそれぞれの膨張された支柱に有してもよい。1方向バルブは、取り外し時に収縮のために空気を吐き出すことができる取り外し可能なプラグを有してもよい。
【００６０】
2）バリエーションとしては、2つの別個の支柱で2つの1方向バルブへと内部で分かれる、単一の開口を有する膨張用のバルブが挙げられる。これによって、単一の膨張ポイントから2つの支柱を膨張させることができるが、その後、支柱が膨張されると、それらの支柱が互いから分離され、それによって、両方の支柱が単一の漏れによって収縮することが防止される。その後、2つの1方向バルブのプラグを、収縮のために取り除くことができる。
【００６１】
3）他のバリエーションとしては、各支柱ごとに2つのバルブが挙げられる。この場合、複数の支柱を互いに直列に連結するためにチューブを用いる。1つのバルブが膨張されて、空気が支柱を介して他のバルブへ移動し、その後、空気がチューブを介して隣りの支柱へ移動する。これによって、各部分を互いに独立に確保しつつ、1つの膨張ポイントから囲いフレーム全体を膨張させることができる。
【００６２】
安全性に関して、この発明の態様は、携帯型の機械的な囲いに関する安全要件を満たすことができ、または上回ることができる。これは、膨張可能な囲いにおいて実証される以前には決してできないことである。囲い、特に携帯型の囲いは、乳児が安全のまま保たれるように囲繞空間を維持する必要がある。したがって、囲いは、さもなければ囲いを不安定にさせる、またはもはや乳児を内側に拘束し得ないように囲いを機械的に機能させなくする場合がある、少なくとも2つのタイプの荷重または力に打ち勝つことができなければならない。
【００６３】
まず第1に、囲いは、フレームの上端を越えて登ろうとする子供、またはフレームの上端に寄り掛かる、またはもたれる年上の兄弟に固有の力に耐えることができなければならない。図17に示されるように、少なくとも65Nの力Fがフレームの50mmの長さの水平部分に沿って垂直下方に加えられる。この荷重が加えられても、フレームは撓まずまたは圧縮せず、フレームの上端が下がるのは、床上460mmの高さ未満である。
【００６４】
第2として、囲いは、側壁を押すもしくは側壁にぶつかる、またはフレームの水平部分を押すもしくはフレームの水平部分にぶつかる囲い内の乳児の力に耐えることができなければならない。座屈力に耐える能力に加えて、囲いは安定性も維持しなければならない。したがって、図18に示されるように、地面と平行であるが、フレームの水平部分に対して垂直な少なくとも65Nの力Fが加えられても、フレームは傾かない（力の印加と反対側のフレームの側が、地面から離れて持ち上がることはない）。
【００６５】
囲いとして使用するために格納装置が製造される場合、格納装置は、人、ペットまたは他の動物のための、1つまたは複数の安全要件に従うことが求められる場合がある。特に、格納装置は、潰れないように、傾かないように、または、他の構造支持障害を防止するために、膨張可能な構造体の剛性を維持することに基づく、1つまたは複数の安全要件に従うことが求められる場合がある。これに代えて、またはこれに加えて、格納装置は、収縮時の重複性に関連する1つまたは複数の安全要件に従うことが求められる場合があり、膨張可能な構成要素の穿刺時または他の破損時に潰れないように、1つまたは複数のバックアップ空気袋または他のバックアップ膨張機構が組み込まれる。また、格納装置は、材料に関連する、1つまたは複数の安全要件に従うことが求められる場合があり、材料が呼吸安全性または摂取安全性に関して許容レベル内となるように検査される。したがって、幾つかの態様において、囲いは、前述した安全要件、または他の要件のうちの1つまたは複数に従うために、例えば、前述した局面または詳細な実施のうちの1つまたは複数に基づいて構成されてもよい。
【００６６】
物体識別番号
以下の表は、添付図面で符号が付された物体を識別する。
【００６７】
（表１）
2012530557.tif 000003
【００６８】
用語「例示的な」は、本明細書中では、「一例としての役目を果たす」事例または例示を意味するために使用される。本明細書において「例示的」として記載される任意の局面および/または態様は、必ずしも他の局面および/または態様よりも好ましいまたは有益なものとして解釈されるべきではない。
【００６９】
幾つかの形態において、囲いまたは格納装置は、本明細書において記載される様々な機能を果たすための手段を含む。この手段は、前述した手段によって列挙される機能を果たすように構成されるモジュール、構成要素、構造または他の機器であってもよい。
【００７０】
特許請求の範囲は、本明細書において示される局面を限定しようとするものではなく、特許請求の範囲の言語にしたがう全範囲を与えようとするものである。この場合、単数の要素への言及は、具体的には述べられていなければ「ただ1つのもの」を意味しようとしているのではなく、むしろ「1つまたは複数」を意味しようとするものである。具体的には別に述べられていなければ、用語「幾つか」とは1つまたは複数のことである。物品のリスト「のうちの少なくとも1つ」という語句は、単一部材を含むそれらの物品の任意の組み合わせを示している。一例として、「a,bまたはcのうちの少なくとも1つ」は、a、b、c、aおよびb、 aおよびc、 bおよびc、 ならびにa,bおよびcを網羅しようとするものである。
【００７１】
開示された局面の先の説明は、任意の当業者が本開示を行なうことができまたは使用できるように提供される。これらの局面に対する様々な変更は当業者に自明であり、また、本明細書において規定される一般的な原理は、本開示の趣旨または範囲から逸脱することなく他の局面に適用されてもよい。したがって、本開示は、本明細書において示される局面に限定されるものではなく、本明細書において開示される原理および新規な特徴に従う最も広い範囲で与えられるべきである。以下の特許請求の範囲およびそれらの等価物が本開示の範囲を規定するものである。
【図１】
2012530557.tif 000005
【図２】
2012530557.tif 000006
【図３】
2012530557.tif 000007
【図４】
2012530557.tif 000008
【図５】
2012530557.tif 000009
【図６】
2012530557.tif 000010
【図７】
2012530557.tif 000011
【図８】
2012530557.tif 000012
【図９】
2012530557.tif 000013
【図１０】
2012530557.tif 000014
【図１１】
2012530557.tif 000015
【図１２】
2012530557.tif 000016
【図１３】
2012530557.tif 000017
【図１４】
2012530557.tif 000018
【図１５】
2012530557.tif 000019
【図１６】
2012530557.tif 000020
【図１７】
2012530557.tif 000021
【図１８】
2012530557.tif 000022
【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
支持面に置かれるように構成される底部材と、
該底部材に結合される1つまたは複数の垂直部材と、
該底部材の周囲にわたって配置される3つ以上の脚部であって、各脚部が、上端と底端とをそれぞれが有する第1の支柱および第2の支柱を含み、第1の支柱および第2の支柱が、第1の支柱と第2の支柱の間の移動を制限するために結合されている、脚部と、
1つまたは複数の水平部材と、
を備える格納装置であって、
該1つまたは複数の水平部材が支柱の上端に面して、少なくとも2つの支柱を接続し、
該水平部材が動かせるように該垂直部材に接続され、
該垂直部材および該底部材が囲繞空間を形成し、
該支柱および該水平部材が、寸法的に安定な材料の外殻、および1つまたは複数の内側空気袋からなり、かつ
該内側空気袋が加圧下で空気によって膨張されるときに、該支柱および該水平部材が該垂直部材および／または該底部材を支持するために硬質構造体を形成するように、該支柱および該水平部材が構成される、格納装置。
【請求項２】
底部材が水平な支持面に接して配置されるときに、支柱が垂直線に対して少なくとも10°の角度をなして傾けられるように構成される、請求項1記載の格納装置。
【請求項３】
上端付近で支柱が曲線経路を辿る、請求項1記載の格納装置。
【請求項４】
支柱が少なくとも1つの脚部材を更に備える、請求項1記載の格納装置。
【請求項５】
支柱、水平部材、底部材、および少なくとも1つの垂直部材が、梱包されかつ圧縮されると0.017立方メートル以下の容積を満たす、請求項1記載の格納装置。
【請求項６】
支柱、水平部材、底部材、少なくとも1つの垂直部材、エアマットレス、ポンプ、およびシートが、梱包されかつ圧縮されると、0.0425立方メートル以下の容積を満たす、請求項1記載の格納装置。
【請求項７】
支柱、水平部材、底部材、および少なくとも1つの垂直部材が3.1キログラム未満の総重量を有する、請求項1記載の格納装置。
【請求項８】
支柱、水平部材、底部材、少なくとも1つの垂直部材、エアマットレス、ポンプ、およびシートが、4.5キログラム以下の総重量を有する、請求項1記載の格納装置。
【請求項９】
1つまたは複数の水平部材の断面積が水平部材の長さにわたって変化する、請求項1記載の格納装置。
【請求項１０】
1つまたは複数の支柱の断面積が底端と上端の間で変化する、請求項1記載の格納装置。
【請求項１１】
複数の水平部材が上下に積み重ねられる、請求項1記載の格納装置。
【請求項１２】
逆U形状フレームが形成されるように、3つ以上の脚部のうち第1のものと3つ以上の脚部のうち第2のものとが水平部材を介して一体に接続される、請求項1記載の格納装置。
【請求項１３】
前記U形状フレームが変化する断面を有する、請求項12記載の格納装置。
【請求項１４】
膨張可能な囲いが少なくとも3つの前記U形状フレームのセットを備える、請求項12記載の格納装置。
【請求項１５】
水平部材に対する垂直な支持を第1の方向に提供する、3つ以上の脚部のうち第1の脚部の第1の支柱と、水平部材に対する垂直な支持を第2の方向に提供する、3つ以上の脚部のうち第1の脚部の第2の支柱とが並んで配置され、かつ、該支柱が互いに対してスライドしないように構成される、請求項1記載の格納装置。
【請求項１６】
水平部材に対する垂直な支持を第1の方向に提供する、3つ以上の脚部のうち第1の脚部の第1の支柱と、水平部材に対する垂直な支持を第2の方向に提供する、3つ以上の脚部のうち第1の脚部の第2の支柱とが並んで配置され、かつ、該支柱が互いに対して回転しないように構成される、請求項1記載の格納装置。
【請求項１７】
少なくとも1つのテンション部材を更に備え、
該テンション部材が、第1の支柱を第2の支柱に固定するために使用される、請求項1記載の格納装置。
【請求項１８】
テンション部材を取り付け可能に取り外しできる、請求項17記載の格納装置。
【請求項１９】
テンション部材の少なくとも一部が第1および第2の支柱のうち少なくとも1つに取り外し不能に取り付けられる、請求項17記載の格納装置。
【請求項２０】
複数のテンション部材が第1および第2の支柱に取り付けられる、請求項17記載の格納装置。
【請求項２１】
第1および第2の支柱のうち少なくとも1つの露出した外周の垂直長さの少なくとも25％をテンション部材がカバーする、請求項17記載の格納装置。
【請求項２２】
テンション部材が、第1および第2の支柱を内部接触ラインに沿って動かせるように接続する少なくとも1つの内側テンション部材を備える、請求項17記載の格納装置。
【請求項２３】
前記第1の支柱に動かせるように取り付けられる第1のテンション部材が、前記第2の支柱に動かせるように取り付けられる第2のテンション部材と嵌合する、請求項17記載の格納装置。
【請求項２４】
フレームの水平部分の上端が、任意の50mmの長さにわたって垂直下方の少なくとも65ニュートン（N）の力に晒されるときに、該力が加えられる場所で垂直に測定して460mm未満の高さまでは撓まないように構成される、請求項1記載の格納装置。
【請求項２５】
力が少なくとも85Nである、請求項24記載の格納装置。
【請求項２６】
力が少なくとも220Nである、請求項24記載の格納装置。
【請求項２７】
3つ以上の独立した膨張可能なシールされたUフレームであって、各Uフレームが脚部の対を有し、各脚部が4つのUフレームのうち別の脚部と結合される、Uフレームと、
膨張可能なUフレームに結合される底部材と
を含む、膨張可能な格納装置であって、
空気袋内の空気圧を維持するために、各膨張可能なUフレームが、内部空気袋を囲む織物シースを含み、かつ
空気袋が膨張用のバルブに結合される、膨張可能な格納装置。
【請求項２８】
脚部がテンション部材と結合される、請求項27記載の膨張可能な格納装置。
【請求項２９】
脚部が複数のテンション部材と結合される、請求項27記載の膨張可能な格納装置。
【請求項３０】
複数のテンション部材が、脚部の内部接触面に沿って配された第1のテンション部材と、脚部の外周を取り囲んで配された第2のテンション部材とを含む、請求項29記載の格納装置。
【請求項３１】
結合した脚部が滑るのを妨げるために、テンション部材が、結合した脚部上に構成される、請求項28記載の膨張可能な格納装置。
【請求項３２】
結合した脚部が回転するのを妨げるために、テンション部材が、結合した脚部上に構成される、請求項28記載の膨張可能な格納装置。
【請求項３３】
上端部に対して広がる脚部に湾曲部を介して接続され、直線状の上端部を含む湾曲した三次元部材としてUフレームが構成される、請求項27記載の格納装置。
【請求項３４】
3つ以上の独立した膨張可能なシールされたUフレームが、4つのUフレームを含む、請求項27記載の膨張可能な格納装置。
【請求項３５】
4つのUフレームのうち1つから空気が漏れていても、他の3つのUフレームが膨張しているときには膨張可能な格納装置が立った配置で維持されるように、4つのUフレームが構成されている、請求項34記載の膨張可能な格納装置。
【請求項３６】
一体型カバーと、底部材と、複数の壁とをさらに含む、請求項27記載の膨張可能な格納装置。
【請求項３７】
空気袋に対して少なくとも1平方インチあたり6ポンドを与える空気圧に破裂することなく耐えるように、織物シースおよび内部空気袋が構成されている、請求項27記載の膨張可能な格納装置。
【手続補正２】
【補正対象書類名】明細書
【補正対象項目名】００１０
【補正方法】変更
【補正の内容】
【００１０】
以下、添付図面と併せて、更なる局面および特徴について更に説明する。
[本発明1001]
使用時に床と平行になるように構成される底部材と、
該底部材に接続される1つまたは複数の垂直部材と、
該底部材の周囲にわたって配置される3つ以上の支柱と、
少なくとも2つの支柱の各上端に面して、該少なくとも2つの支柱を接続する1つまたは複数の水平部材と、
を備える格納装置であって、
該水平部材が該垂直部材に接続され、
該垂直部材および該底部材が囲繞空間を画定し、
該支柱および該水平部材が、寸法的に安定な材料の外殻、および1つまたは複数の内側空気袋からなり、かつ
該内側空気袋が加圧空気によって膨張されるときに、該支柱および該垂直部材が該囲繞空間の周囲に硬質構造体を形成するように、該内側空気袋、該支柱および該垂直部材が構成される、格納装置。
[本発明1002]
支柱が垂直線に対して少なくとも10°の角度をなして傾けられる、本発明1001の格納装置。
[本発明1003]
支柱が曲線経路を辿る、本発明1001の格納装置。
[本発明1004]
支柱が少なくとも1つの脚部材を更に備える、本発明1001の格納装置。
[本発明1005]
支柱、水平部材、底部材、および垂直壁が、格納のために梱包されると0.017立方メートル以下の容積を満たす、本発明1001の格納装置。
[本発明1006]
支柱、水平部材、底部材、および垂直壁が、搬送容器と少なくともエアマットレスおよびポンプを含む関連する雑品と共に格納のために梱包されると、0.0425立方メートル以下の容積を満たす、本発明1001の格納装置。
[本発明1007]
支柱、水平部材、底部材、および垂直壁が3.1キログラム未満の総重量を有する、本発明1001の格納装置。
[本発明1008]
支柱、水平部材、底部材、および垂直壁が、搬送容器と少なくともエアマットレスおよびポンプを含む関連する雑品と共に、4.5キログラム以下の総重量を有する、本発明1001の格納装置。
[本発明1009]
1つまたは複数の水平部材の断面積が寸法軸に沿って変化する、本発明1001の格納装置。
[本発明1010]
1つまたは複数の支柱の断面積が寸法軸に沿って変化する、本発明1001の格納装置。
[本発明1011]
複数の水平部材が上下に積み重ねられる、本発明1001の格納装置。
[本発明1012]
第1の支柱と第2の支柱とが水平部材を介して一体に接続されて逆U形状フレームが形成される、本発明1001の格納装置。
[本発明1013]
U形状フレームの断面積が寸法軸に沿って変化する、本発明1012の格納装置。
[本発明1014]
膨張可能な囲いが少なくとも3つのU形状フレームのセットを備える、本発明1012の格納装置。
[本発明1015]
水平部材に対する略垂直な支持を第1の方向に提供する第1の支柱と、水平部材に対する略垂直な支持を第2の方向に提供する第2の支柱とが並んで配置され、かつ、該支柱が互いに対してスライドしないように構成される、本発明1001の格納装置。
[本発明1016]
水平部材に対する略垂直な支持を第1の方向に提供する第1の支柱と、水平部材に対する略垂直な支持を第2の方向に提供する第2の支柱とが並んで配置され、かつ、該支柱が互いに対して回転しないように構成される、本発明1001の格納装置。
[本発明1017]
少なくとも1つのテンション部材を更に備え、
該テンション部材が、第1の支柱を第1の位置に固定しかつ第2の支柱を該第1の支柱に隣接して固定するために使用される、本発明1001の格納装置。
[本発明1018]
テンション部材を取り付け可能に取り外しできる、本発明1017の格納装置。
[本発明1019]
テンション部材の少なくとも一部が少なくとも1つの支柱に固定して取り付けられる、本発明1017の格納装置。
[本発明1020]
複数のテンション部材が一対の支柱に取り付けられる、本発明1017の格納装置。
[本発明1021]
支柱の、露出した外周の垂直長さの少なくとも25％をテンション部材がカバーする、本発明1017の格納装置。
[本発明1022]
テンション部材が、2つの隣接する支柱を内部接触ラインに沿って動かせるように接続する少なくとも1つの内側テンション部材を備える、本発明1017の格納装置。
[本発明1023]
第1の支柱に動かせるように取り付けられる第1のテンション部材が、第2の支柱に動かせるように取り付けられる第2のテンション部材と嵌合する、本発明1017の格納装置。
[本発明1024]
フレームの水平部分の上端が、任意の50mmの長さにわたって垂直下方の少なくとも65ニュートン（N）の力に晒されるときに、該力が加えられる場所で垂直に測定して460mm未満の高さまでは撓まないように構成される、本発明1001の格納装置。
[本発明1025]
力が少なくとも85Nである、本発明1024の格納装置。
[本発明1026]
力が少なくとも220Nである、本発明1024の格納装置。
[本発明1027]
地面の面と平行に、かつフレームの水平部分に対して垂直に加えられる少なくとも65Nの力が、該水平部分の反対側で地面よりも上への上昇を実質的にもたらさないように、装置が構成される、本発明1001の格納装置。
[本発明1028]
力が少なくとも85Nである、本発明1027の格納装置。
[本発明1029]
力が少なくとも220Nである、本発明1027の格納装置。
【国際調査報告】
2012530557.tif 000023
2012530557.tif 000024